(57)【要約】【課題】遊技機の遊技レールの傾斜角度を調整することが困難であった。【解決手段】ガイド板３６ａの遊技球の発射経路３２側への押出量をネジ３７ａの螺合量で調整することができるため、ガイド板３６ａの傾斜角度の微調整を簡単に行うことができ、遊技球の球すじを一定化させることが可能となる。また、調整後においてはネジ３７ａの押し出しに対して、常時ガイド板３６ａの付勢力によりガイド板が反発しているため、ガイド板とネジ３７ａとの間にがたつき等が発生し傾斜角度が不安定となることもない。すなわち、遊技球の球すじが変化してしまうこともない。【選択図】  図４
2005040256.tif 000002
【特許請求の範囲】
【請求項１】
遊技盤において遊技球の発射経路と、遊技球の流下が行われる遊技領域と、同遊技領域の外部とがそれぞれ遊技レールにより区画される遊技機において、
上記遊技レールは、
上記遊技盤に略垂直に立設される区画壁と、
同区画壁の遊技球の経路側の壁面に対して付勢するように保持される帯状のガイド板と、
上記ガイド板の一部を所定量遊技球の経路側に押し出すことにより上記ガイド板の傾斜角度を調節可能な押出機構とを具備することを特徴とする遊技機。
【発明の詳細な説明】
【０００１】
【発明の属する技術分野】
本発明は、遊技機に関し、特に、遊技レールにより遊技領域が区画される遊技機に関する。
【０００２】
【従来の技術】
従来、この種の遊技機として、一枚の金属板を略直角に屈曲させることにより形成された遊技盤に立設する区画壁と、同遊技盤に対して略平行に接触しつつ接合される板状の取り付け部とからなる遊技レールを遊技盤に取り付けたものが知られている（例えば、特許文献１参照。）。
かかる構成によれば、ペンチ等により上記区画壁に外力を与え上記区画壁と上記取り付け部の屈曲角度を変化させることにより、上記区画壁の上記遊技盤に対する傾斜角度を調整することが可能であった。従って、製造誤差等により各遊技機毎に微妙に異なる遊技球の球すじを一定化させるように調整することが可能であった。
【０００３】
【特許文献１】
特開平１１−２９０５１０号公報
【０００４】
【発明が解決しようとする課題】
上述した従来の遊技機において、遊技機の工場出荷時には正常な遊技球の球すじに設定されていても、ホール等において長期間使用することにより上記区画壁の上記遊技盤に対する傾斜角度が変動する場合があった。この場合、遊技球の球すじを一定化させるように調整するのはホール等の従業員等であるが、ペンチ等により屈曲角度を変化させて遊技球の球すじを一定化させるためには熟練した技術が必要であった。従って、限られた従業員等でなければ調整することができないという課題があった。
【０００５】
本発明は、上記課題にかんがみてなされたもので、簡単に傾斜角度が調整できるとともに、長期間傾斜角度が維持できる遊技レールを備える遊技機の提供を目的とする。
【０００６】
【課題を解決するための手段】
上記目的を達成するため、請求項１にかかる発明では、遊技盤において遊技球の発射経路と、遊技球の流下が行われる遊技領域と、同遊技領域の外部とがそれぞれ遊技レールにより区画される遊技機において、
上記遊技レールは、上記遊技盤に略垂直に立設される区画壁と、同区画壁の遊技球の経路側の壁面に対して付勢するように保持される帯状のガイド板と、上記ガイド板の一部を所定量遊技球の経路側に押し出すことにより上記ガイド板の傾斜角度を調節可能な押出機構とを具備する構成としてある。
【０００７】
上記のように構成した請求項１の発明において、上記遊技レールにより上記遊技盤において上記遊技領域や遊技球の発射経路や上記遊技領域の外部とが区画される。上記遊技レールは少なくとも上記区画壁と上記ガイド板と上記押出機構とで構成される。上記区画壁は上記遊技盤に対して略垂直に立設される。上記ガイド板は上記区画壁側に付勢されて上記区画壁における遊技球の経路側の面に保持される。一方、上記押出機構は上記ガイド板の一部を遊技球の経路側に所定量押し出すことが可能である。
【０００８】
上記ガイド板は全体としては上記区画壁側に付勢されているため、上記押出機構により上記ガイド板の一部が遊技球の経路側に押し出されると、当該押し出された上記ガイド板の一部の周辺のみが遊技球の経路側に変位し、それ以外の部分は上記区画壁側に付勢された状態が維持され上記区画壁に近づこうとする。従って、上記ガイド板が傾斜させることができる。また、上記押出機構は上記ガイド板の一部を所定量押し出すことが可能であるため、上記ガイド板の傾斜角も任意の角度に調整することができる。上記ガイド板が傾斜した状態において、上記押出機構による上記ガイド板の一部の押し出しに対して上記ガイド板が上記区画壁側に付勢される状態が維持されるため、上記ガイド板の傾斜角を安定して維持することができる。
【０００９】
なお、上記区画壁は遊技球の流通経路を他の領域と区画することができれば良く、上記遊技領域と上記遊技領域の外部とを区画する外側レールの壁面であっても良いし、遊技球の発射経路と上記遊技領域とを区画する内側レールの壁面であっても良い。さらに、遊技球の発射経路と遊技領域の外部とを区画する外側レールの壁面であっても良い。このような区画壁を備える遊技レールにおいては種々の態様のものが考えられる。例えば、上記外側レールや上記内側レールを単独で備える遊技レールや、上記外側レールや上記内側レールが一体化した遊技レールであっても良い。なお、通常上記遊技領域は円形であり、同遊技領域に沿って形成される遊技球の発射経路は弧状となるため、上記区画壁は曲面状となるこ場合が多い。
本発明は、上記の構成に限られるものではなく、以下の手段も含むものである。
【００１０】
手段１
手段１にかかる発明は、請求項１に記載の発明において、上記押し出し機構は、所定の皿ネジを上記遊技盤に向かって略垂直に螺合させていくと、同皿ネジの頭部の傾斜面が次第に上記ガイド板におけるガラス面側の端部に上記区画壁の側から当接するように上記区画壁に形成されたネジ穴を備える構成としてある。
上記のように構成した手段１の発明において、上記ネジ穴は上記区画壁に形成され所定の皿ネジを上記遊技盤に向かって略垂直に螺合させる。このとき、上記皿ネジの傾斜面も上記遊技盤に向かって進行し、上記皿ネジを所定量上記ネジ穴に螺合させていくと、同皿ネジの頭部の傾斜面が次第に上記ガイド板におけるガラス面側の端部に上記区画壁の側から当接する。すなわち、上記皿ネジの頭部の傾斜面が当接する上記ガイド板におけるガラス面側の端部を遊技球の経路側に押し出すことができる。上記ガイド板におけるガラス面側の端部のみが遊技球の経路側に押し出され、それ以外の部分は上記区画壁に向かって付勢されるため、上記ガイド板の傾斜角度を上記遊技盤の盤面に対して鋭角とするように調整することができる。上記皿ネジと上記ネジ穴との間の摩擦は大きくすることができるため、上記ガイド板の上記区画壁への付勢力に抗して上記皿ネジの頭部の傾斜面による押し出し状態を維持することができる。また、上記ネジ穴に対する上記皿ネジの螺合量は任意の量とすることができるため、上記ガイド板の傾斜角度も微調整することができる。
【００１１】
手段２
手段２にかかる発明は、請求項１または手段１のいずれかに記載の発明において、上記押出機構は、上記区画壁における遊技球の経路の外側方向から同経路側に向かって進行しつつ螺合されるネジの先端が上記ガイド板の一部を遊技球の経路側に押し出す構成としてある。
上記のように構成した手段２の発明は、上記区画壁における遊技球の経路の外側方向から同経路側に向かって進行しつつ螺合されるネジの先端が上記ガイド板に接触することにより、上記ネジを徐々に螺合させていけば上記ガイド板の一部を遊技球の経路側に押し出すことができる。また、上記ネジの螺合量を調整することにより上記ガイド板の押出量を任意に調整することができる。
【００１２】
手段３
手段３にかかる発明は、請求項１または手段１または手段２のいずれかに記載の発明において、上記押出機構は、上記区画壁と上記ガイド板との間にくさびを進入させることにより上記ガイド板の一部を遊技球の経路側に押し出す構成としてある。
上記のように構成した手段３の発明は、上記区画壁と上記ガイド板との間にくさびを進入させることにより、同くさびの進入量に応じて上記ガイド板の一部を遊技球の経路側に押し出すことが可能となる。
【００１３】
手段４
手段４にかかる発明は、手段３に記載の発明において、上記くさびは回転レバーに接合されるとともに、上記回転レバーを回転させることにより上記区画壁と上記ガイド板との間に進入する構成としてある。
上記のように構成した手段４の発明は、上記くさびを上記回転レバーに接合し同回転レバーの回転に伴って、同くさびが上記区画壁と上記ガイド板との問に進入するようにすれば上記ガイド板の傾斜角度の調整が簡単な作業となる。
【００１４】
手段５
手段５にかかる発明は、請求項１または手段１から手段４のいずれかに記載の発明において、上記押出機構が上記ガイド板を押し出すことにより形成される上記区画壁と上記ガイド板との隙間に充填材が充填される構成としてある。
上記のように構成した手段５の発明は、上記押出機構が上記ガイド板を押し出すことにより上記区画壁と上記ガイド板との間に隙間が形成されることとなる。この隙間があることにより、上記ガイド板における遊技球の反射状態が変わるおそれがあが、上記区画壁と上記ガイド板との間の隙間に充填材を充填させることにより、反射状態の変動を抑制することが可能となる。
【００１５】
手段６
手段６にかかる発明は、請求項１に記載の発明において、上記押出機構は上記区画壁を押し出すことにより間接的に上記ガイド板の一部を遊技球の経路側に遊技球の経路側に押し出す構成としてある。
上記のように構成した手段６の発明は、上記区画壁が押し出されることにより上記区画壁に密着している上記ガイド板も間接的に押し出すことができる。
【００１６】
手段７
手段７にかかる発明は、手段６に記載の発明において、上記区画壁には肉薄部が設けられる構成としてある。
上記のように構成した手段７の発明は、上記区画壁が上記押出機構により押し出される際に変形することとなるが、上記区画壁に上記肉薄部を設けておけば変形しやすくなる。
【００１７】
手段８
手段８にかかる発明は、請求項１または手段１から手段７のいずれかに記載の発明において、上記ガイド板は弾性部材で形成される構成としてある。
上記のように構成した手段８の発明は、上記ガイド板を弾性部材で形成することにより、上記押出機構の押出しに対して弾性的な復元力により反発し、これらが均衡を保つことにより傾斜角度を安定維持することができる。
【００１８】
手段９
手段９にかかる発明は、請求項１または手段１から手段８のいずれかに記載の発明において、上記ガイド板は金属板で形成される構成としてある。
上記のように構成した手段９の発明は、上記ガイド板を金属板で形成することにより、遊技球の衝突に対する耐摩耗性が向上するとともに、良好な復元力により傾斜角度を安定維持することができる。
【００１９】
手段１０
手段１０にかかる発明は、手段８または手段９のいずれかに記載の発明において、上記ガイド板を略円弧状の上記区画壁に付勢させて保持させるに当たり、予め上記ガイド板の曲率半径を上記区画壁の曲率半径より大きく形成しておき、上記ガイド板を上記区画壁に追従するように弾性変形させつつ固定する構成としてある。
上記のように構成した手段１０の発明は、予め上記ガイド板の曲率半径を上記区画壁の曲率半径より大きく形成しておき、上記ガイド板を上記区画壁に追従するように弾性変形させて固定することにより。上記ガイド板には曲率半径の大きい原形状に復元しようとする内部応力が残留する。すなわち、この内部応力により上記ガイド板を上記区画壁に付勢させることができる。また、上記押出機構の押出に対して良好な反発力の発生源ともなるため、さらに傾斜角度を安定維持することができる。
【００２０】
手段１１
手段１１にかかる発明は、手段１０に記載の発明において、上記ガイド板における円周方向の端部が外側に屈曲させられて板状の屈曲面部が形成されるともに、同屈曲面部にネジ止め穴を設けネジ止め固定することにより上記ガイド板を上記区画壁に固定する構成としてある。
上記のように構成した手段１１の発明は、上記屈曲面部を設け上記ネジ止め穴にて固定することにより、確実に上記区画壁と上記ガイド板とを固定することができる。
【００２１】
手段１２
手段１２にかかる発明は、手段１１に記載の発明において、上記ネジ止め穴は長穴である構成としてある。
上記にように構成した手段１２の発明は、上記ネジ止め穴を長穴としておくことで、上記ガイド板の傾斜角度が変更されることにより上記ガイド板の取り付け位置がずれた場合にも、上記長穴におけるネジの締め付け位置を変化させることにより対応することができる。
【００２２】
手段１３
手段１３にかかる発明は、手段１２に記載の発明において、上記押出機構は、長穴に形成された上記ネジ止め穴に対する上記ネジの締め付け位置を変化させることにより上記ガイド板の一部を遊技球の経路側に押し出す構成としてある。
すなわち、上記長穴に対する上記ネジの締め付け位置を変化させれば、上記ガイド板の一部を遊技球の経路側に押し出すことが可能となる。
【００２３】
手段１４
手段１４にかかる発明は、請求項１または手段１から手段１３のいずれかに記載の発明において、上記ガイド板は、同ガイド板の上記遊技盤側の端部が、上記区画壁との間隔が同ガイド板の厚みと略同間隔となる位置に形成した凸部と同区画壁とに挟まれることにより同区画壁に密着させられる構成としてある。
上記のように構成した手段１４の発明は、上記ガイド板は、同ガイド板の上記遊技盤側の端部が上記凸部によって上記区画壁側に拘束させられる。従って、上記押出機構によって上記ガイド板を遊技球の経路側に押し出したとしても、上記ガイド板の遊技盤側の端部は上記区画壁に密着した状態を維持する。すなわち、上記ガイド板の遊技盤側の端部は上記区画壁に密着し上記ガイド板のガラス面側は上記区画壁から離間しようとするため、上記ガイド板を遊技球の経路側に倒れ込む角度に傾斜させることが可能となる。
【００２４】
手段１５
手段１５にかかる発明は、請求項１または手段１から手段１４のいずれかに記載の発明において、上記押出機構は、遊技球の発射経路における入射位置付近に数を多くして形成される構成としてある。
すなわち、遊技球の遊技領域への発射角度が大きく左右される遊技球の発射経路の入射位置付近において上記ガイド板のレール角度をより精密に調整することが可能となる。
【００２５】
手段１６
手段１６にかかる発明は、請求項１または手段１から手段１５のいずれかに記載の発明において、上記区画壁は、上記区画壁の上記遊技盤側の端部にて略直交するように形成した取り付け面部において上記遊技盤にネジ止め固定される構成としてある。
上記のように構成した請求項１６の発明は、上記区画壁の上記遊技盤側の端部にて、同区画壁に略直交する取り付け面部が設けられる。すなわち、この取り付け面部を上記遊技盤に密着させつつネジ止め固定することにより、同取り付け面部に略直交する上記区画壁を上記遊技盤にして立設することができる。
【００２６】
手段１７
手段１７にかかる発明は、手段１６に記載の発明において、上記取り付け面部と上記区画壁における遊技球の経路の外側の面との間には、上記取り付け面部と上記区画壁との直交性を保持すべく補強リブが設けられる構成としてある。
上記のように構成した請求項１７の発明は、上記取り付け面部と上記区画壁との直交性を保持すべく補強リブが設けられるため、上記ガイド板の上記区画壁に向かう付勢する力に抗して上記区画壁の上記遊技盤に対する立設角度が安定する。従って、上記押し出し機構による上記ガイド板の傾斜角度の精度を向上させることができる。また、上記補強リブは上記区画壁における遊技球の経路の外側の面に設けられるため、遊技球の流通を妨げなくすることができる。
【００２７】
手段１８
手段１８にかかる発明は、手段１から手段１７のいずれかに記載の発明において、上記遊技レールは、上記押出機構の配設位置を指し示す表示を備える構成としてある。
上記のように構成した手段１８にかかる発明は、上記押出機構の配設位置が指し示されるため、上記押出機構が見つけやすくなる。従って、調整を行う者が熟練していない場合であっても、調整作業をスムーズに行うことができる。上記表示は上記押出機構の配設位置を指し示すものに限られず、上記押出機構における調整方法を示したり、調整量の目安等を表示するものであってもよい。
【００２８】
【発明の効果】
請求項１にかかる発明によれば、遊技球の接触面となるガイド板の傾斜角度を簡単に微調整可能とするとともに安定させることができる。
手段１にかかる発明によれば、簡単にガイド板の傾斜角度を微調整できる。
手段２にかかる発明によれば、簡単にガイド板の傾斜角度を微調整できる。
手段３にかかる発明によれば、簡単にガイド板の傾斜角度を微調整できる。
手段４にかかる発明によれば、ガイド板の傾斜角度の微調整を簡単に行うことができる。
【００２９】
手段５にかかる発明によれば、遊技球の反射状態を一定とすることができる。
手段６にかかる発明によれば、ガイド板の傾斜角度を増大させることができる。
手段７にかかる発明によれば、区画壁を傾斜しやすくすることができる。
【００３０】
手段８にかかる発明によれば、ガイド板の傾斜角度をより安定させることができる。
手段９にかかる発明によれば、耐久性を向上させることができる。
手段１０にかかる発明によれば、ガイド板の傾斜角度をより安定させることができる。
手段１１にかかる発明によれば、ガイド板を区画壁に対して確実に固定することができる。
手段１２にかかる発明によれば、ガイド板の傾斜角度を調整可能としつつガイド板を区画壁に対して確実に固定することができる。
手段１３にかかる発明によれば、簡易な構成でガイド板の傾斜角度を微調整可能とすることができる。
手段１４にかかる発明によれば、ガイド板を遊技盤に対して倒れ込む方向に傾斜させることができる。
【００３１】
手段１５にかかる発明によれば、発射直後の遊技球の軌道を精密に調整することができる。
手段１６にかかる発明によれば、区画壁を遊技盤に対して確実に取り付けることができる。
手段１７にかかる発明によれば、区画壁を遊技盤に対する角度を一定とすることによりガイド板の傾斜角度を精度良く調整することができる。
手段１８にかかる発明によれば、調整作業を簡易化させることができる。
【００３２】
【発明の実施の形態】
以下、下記の順序に従って本発明の実施の形態について説明する。
（１）パチンコ遊技機の構成：
（２）第一の実施形態：
（３）その他の実施形態：
【００３３】
（１）パチンコ遊技機の構成：
図１は、本発明を適用したパチンコ遊技機を正面から見た状態を示している。同図において、パチンコ遊技機１の外枠１０は、鋼材をプレス加工あるいは木材枠を組み合わせて形成されている。この外枠１０は、矩形板状の樹脂製の本体枠２０よりも僅かに大きいサイズの矩形開口１０ａを有している。この本体枠２０は、矩形開口１０ａの図に向かって左端にて枢支されており、図示しない回転軸を中心に回動し、外枠１０に対して開閉可能かつ着脱可能に装着されている。この本体枠２０の上部には、矩形板状の遊技盤３０が取り付けられている。また、本体枠２０の下部には、遊技球の発射機構４０と、概略矩形形状に形成された樹脂製の流路板５０とが取り付けられている。さらに、当該流路板５０の前面側にて下皿７０が本体枠２０に取り付けられている。遊技盤３０の前面には、下端中央から右巻きに概略一回転する遊技レールが前方へ立設されており、この遊技レールに取り囲まれる略円形の領域が遊技領域３１となっている。
【００３４】
この遊技領域３１は、樹脂製のガラス扉枠６０を介して視認可能となっている。遊技領域３１には、風車や入賞口、パチンコ玉が入賞する入口の大きさが変化する入賞口等が設けられている。さらに、入賞しなかった遊技球をアウト球として回収するアウト球回収口４３や、遊技の状況を表示する表示装置３４などが配設されている。
【００３５】
遊技盤３０の前面側には、樹脂製のガラス扉枠６０が本体枠２０の左端にて枢支されている。このガラス扉枠６０には、遊技領域３１を対面してガラス６１が嵌め込まれているとともに、ガラス６１の周囲を取り囲むように装飾ランプ６２および上皿６３が配設されている。また、ガラス扉枠６０の下方の本体枠２０には、発射機構４０の一部を構成する発射ハンドル４１が取り付けられている。この発射機構４０は、発射ハンドル４１の回転量に応じて遊技球を発射棹にて打ち出し、遊技盤３０に向けて放出する。放出された遊技球は、遊技盤３０の前面側に立設された遊技領域を一周取り囲む遊技レール３３の外側レール３６と、遊技領域の中央下端から左巻きに上記遊技レールに沿って遊技領域の上方まで立接された内側レール３５との間の発射経路３２を通り抜けて、遊技領域３１に投入される。
【００３６】
（２）第一の実施形態：
図２は、外側レール３６と内側レール３５とが一体化成型されたユニット部材としての遊技レール３３を正面から見て示している。同図において、遊技レール３３は概略環状に形成され、最外周には遊技盤３０の盤面にネジ止め固定するための取り付け面部３３ａが形成されている。取り付け面部３３ａには複数の貫通穴３３ａ１が設けられており、貫通穴３３ａ１にて遊技盤３０に対してネジ止め固定される。
【００３７】
取り付け面部３３ａに略垂直に外側レール３６と内側レール３５とが立設されている。内側レール３５は正面視において円弧状に形成されており、遊技領域３１と遊技球の発射経路３２とを区画している。一方、外側レール３６は正面視において円周状に形成されており、遊技領域３１または遊技球の発射経路３２と遊技領域の外部とを区画している。外側レール３６と内側レール３５とを連結しつつ遊技盤３０の側に形成された板状の床面部３２ａが形成されており、ユニット部材としての遊技レール３３の一体的に形成している。
【００３８】
かかる構成により、発射された遊技球を発射経路３２を通過させつつ遊技領域３１における上方に打ち出すことが可能となるし、遊技領域３１内において流下運動をさせることが可能となる。また、取り付け面部３３ａにより遊技盤３０に対して確実に固定することが可能である。また、ユニット部材としての遊技レール３３を予め一体的とすることにより、組み付け作業を容易化させることができる。
【００３９】
また、外側レール３６は概略区画壁３６ｂとガイド板３６ａとで構成され、外側に位置する略弧状の区画壁３６ｂの発射経路３２側に沿って略弧状のガイド板３６ａが取り付けられている。ガイド板３６ａは遊技球の発射経路３２の入口から発射された遊技球のストッパー壁３３ｂまでの部位において外側レール３６の内側に密着している。ガイド板３６ａはステンレスで形成され、下端部を外側に屈曲することにより屈曲面部３６ａ１が設けられている。また、屈曲面部３６ａ１に外側から接触するように区画壁３６ｂにも平面部３６ｂ１が形成されている。
【００４０】
ガイド板３６ａは、ストッパー壁３３ｂ側の端部がストッパー壁３３ｂに突き当てられつつ、屈曲面部３６ａ１にてネジ３９によりネジ止め固定されている。なお、屈曲面部３６ａ１に接触する平面部３６ｂ１にはネジ３９を螺合させるためのネジ穴３６ｂ２が形成されている。外側レール３６の外側における発射経路３２の入口に近い部分には二個の皿ネジ３７ａ，３７ｂが螺合されており、外側レール３６の外側における発射経路３２の中程の部位には皿ネジ３７ｃが一個螺合されている。取り付け面部３３ａにおける各皿ネジ３７ａ，３７ｂ，３７ｃの近くには表示シール３３ｃが貼り付けられており、同表示シール３３ｃにはそれぞれ各皿ネジ３７ａ，３７ｂ，３７ｃの方向を指し示す矢印が表示されている。
【００４１】
図３は、遊技レール３３における皿ネジ３７ａが螺合される位置の断面を見て示している。同図において、外側レール３６が区画壁３６ｂとガイド板３６ａと凸部３６ｄと、離脱防止爪３６ｅとで構成されている。区画壁３６ｂには、ガラス面側から遊技盤３０に向かって略垂直にネジ穴３６ｃが形成されている。ネジ穴３６ｃの入口部分には皿ネジ３７ａの頭部３７ａ１が丁度嵌り込むように皿ザグリ３６ｃ１が形成されている。区画壁３６ｂにおけるネジ穴３６ｃの形成位置は遊技球の発射経路３２側に偏った位置となっており、皿ネジ３７ａをネジ穴３６ｃに螺合させたときには頭部３７ａ１が区画壁３６ｂより発射経路３２側に突出するようになっている。すなわち、皿ネジ３７ａの頭部３７ａ１の広径部の半径と細径部の半径との差より、ネジ穴３６ｃの内壁面と区画壁３６ｂの発射経路３２側の面との間隔が小さくなるように形成されている。そのため、皿ザグリ３６ｃ１は発射経路３２側の一部が分断された形状となっている。皿ザグリ３６ｃ１の分断された一部を発射経路３２側から覆う位置までガイド板３６ａのガラス面側の端部が到達している。
【００４２】
ガイド板３６ａは画壁３６ｂの発射経路３２側の面に接触するように保持されている。ガイド板３６ａは帯状の板部材により形成されており、区画壁３６ｂの発射経路３２側の面と凸部３６ｄとで形成される隙間に遊技盤３０側の端部が挟み込まれている。なお、発射経路３２側の面と凸部３６ｄとの間隔は、丁度ガイド板３６ａの厚みと同じ大きさとされている。従って、ガイド板３６ａの遊技盤３０側の端部を区画壁３６ｂの発射経路３２側の面と凸部３６ｄとで形成される隙間に挟み込むことで、ガイド板３６ａを区画壁３６ｂの発射経路３２側の面に密着するように拘束することができる。
【００４３】
なお、区画壁３６ｂの発射経路３２側の面と凸部３６ｄとで形成される隙間にガイド板３６ａを挟み込んで取り付ける以前において、ガイド板３６ａの曲率半径は略円周状に形成された区画壁３６ｂの曲率半径より大きく形成されている。従って、区画壁３６ｂの発射経路３２側の面と凸部３６ｄとで形成される隙間にガイド板３６ａを挟み込んで取り付ける際には、ガイド板３６ａは区画壁３６ｂの曲率半径に合わせるような変形が伴うこととなる。また、この変形はステンレス製のガイド板３６ａの弾性変形領域において行われる。従って、区画壁３６ｂの発射経路３２側の面と凸部３６ｄとで形成される隙間にガイド板３６ａを挟み込んで取り付けた後においては、ガイド板３６ａは元の曲率半径に復元しようとする。すなわち、常にガイド板３６ａは元の曲率半径に復元しようとして、区画壁３６ｂに接近するように付勢されることとなる。さらに、ストッパー壁３３ｂ側の端部がストッパー壁３３ｂに突き当てられつつ、屈曲面部３６ａ１にてネジ３９によりネジ止め固定されているため、ガイド板３６ａは元の曲率半径に復元することが防止され付勢力が開放されてしまうこともない。
【００４４】
かかる構成により、図４に示す断面図のようにガイド板３６ａを遊技盤３０の側に倒れ込むように傾斜させることができる。同図においては、皿ネジ３７ａがネジ穴３６ｃに螺合されることにより、皿ネジ３７ａの頭部３７ａ１も遊技盤３０の側に進行している。そして、皿ネジ３７ａの頭部３７ａ１の傾斜面がガイド板３６ａにおけるガラス面側の端部に当接し、さらに遊技盤３０の側に進行することによりガイド板３６ａにおけるガラス面側の端部を遊技球の発射経路３２側に押し出している。すなわち、頭部３７ａ１の傾斜面が遊技盤３０の側に進行することにより、ガイド板３６ａにおけるガラス面側の端部は同傾斜面を沿うように滑りつつ遊技球の発射経路３２側に押し出される。一方、ガイド板３６ａにおける遊技盤３０側の端部は終始区画壁３６ｂ側に拘束されているため、変位しない。従って、ガイド板３６ａに傾きが発生し、遊技盤３０の側に倒れ込むように傾斜させることができる。
【００４５】
上述したように、ガイド板３６ａは全体として区画壁３６ｂに接近するように付勢されているため、ガイド板３６ａが遊技盤３０の側に倒れ込む傾斜に対して反発することとなる。従って、皿ネジ３７ａの頭部３７ａ１をガイド板３６ａが常に押しつけることとなるため、ガイド板３６ａが意に反して皿ネジ３７ａの頭部３７ａ１から離間することが防止できる。すなわち、ガイド板３６ａを傾斜状態にて確実に固定することができる。そのため、ガイド板３６ａを傾斜角度が不安定となることにより遊技球の軌道が不安定となることもない。ガイド板３６ａを弾性変形領域を有するステンレス等の金属で形成することにより良好な付勢力をガイド板３６ａにもたせることができるとともに、ステンレス等の金属は耐摩耗性が良いため耐久性の良い遊技レールを形成することができる。
【００４６】
一方、皿ネジ３７ａのネジ穴３６ｃに対する螺合量は、完全に螺合が完了するまでは任意の量とすることができる。従って、ガイド板３６ａを傾斜角度も所定の範囲において任意の角度に調整することができる。むろん、ガイド板３６ａの付勢力により皿ネジ３７ａの頭部３７ａ１はガラス面側に押し出されようとするが、皿ネジ３７ａとネジ穴３６ｃとの間に発生する摩擦力は十分大きいためガイド板３６ａの付勢力によって皿ネジ３７ａの螺合量が変動してしまうことはない。従って、確実にガイド板３６ａを意図した傾斜角度に調整することができる。また、傾斜角度の調整にあたっては皿ネジ３７ａを締め付けるだけでよく、簡単に調整を行うことができる。さらに、表示シール３３ｃにより皿ネジ３７ａの位置が指し示されているため、容易に皿ネジ３７ａを見つけて調整することができる。
【００４７】
なお、他の皿ネジ３７ｂ，３７ｃについても上述と同様な構成となっており、螺合することによりガイド板３６ａを遊技盤３０の側に倒れ込むように傾斜させることができるようになっている。すなわち、本実施形態においてガイド板３６ａは、皿ネジ３７ａが螺合される位置と皿ネジ３７ｂが螺合される位置および皿ネジ３７ｃが螺合される位置のそれぞれにおいて傾斜角度を調整することが可能となっている。特に発射経路３２の入口付近においては発射直後の遊技球が衝突し、その後の遊技球の軌道を大きく左右する。従って、発射経路３２の入口付近において調整可能な箇所を二箇所設けておくことで、より微妙な傾斜角度を可能と遊技球の軌道を微調整することが可能となっている。
【００４８】
ネジ穴３６ｃの奥方における区画壁３６ｂの上部には離脱防止爪３６ｅが形成されている。離脱防止爪３６ｅは発射経路３２側の先端が区画壁３６ｂから所定量離れた位置で遊技盤３０側に屈曲している。このようにすることにより、ガイド板３６ａにおけるガラス面側の端部を所定量変位可能としつつも、ガイド板３６ａが区画壁３６ｂから完全に離脱してしまうことを防止している。発射経路３２の外側に形成された取り付け面部３３ａと区画壁３６ｂの外側の面とで挟まれる部位に略三角板状の補強リブ３８が形成されている。なお、補強リブ３８は取り付け面部３３ａと区画壁３６ｂ等と一体成型により形成されている。従って、区画壁３６ｂ自体もガイド板３６ａの付勢力によって外側に押し出されようとするが、補強リブ３８により剛性が向上しているため区画壁３６ｂは遊技盤３０に対して一定角度を保持することができる。区画壁３６ｂを基準として傾斜されるガイド板３６ａの調整精度をより向上させることが可能となる。
【００４９】
図５は、遊技レール３３における発射経路３２の入口付近を斜めから見て示している。同図において、ガイド板３６ａの屈曲面部３６ａ１には長穴３６ａ２が形成されており、同長穴３６ａ２により区画壁３６ｂにネジ止め固定されている。このようにすることにより、ガイド板３６ａの傾斜角度が変更された場合においても、長穴３６ａ２におけるネジ止め位置をずらすことにより対応することが可能となる。すなわち、ガイド板３６ａの傾斜角度を調整するにあたっては、予めネジ３９を緩めておいて、所望の傾斜角度への調整が完了したら再びネジ３９を締め付けて傾斜角度を確定するようにすればよい。この場合、よりガイド板３６ａの傾斜角度を安定して保持することが可能となる。
【００５０】
（３）その他の実施形態：
第一の実施形態においては、ガイド板３６ａを遊技球の発射経路３２側に押し出すための押出機構は、皿ネジ３７ａとネジ穴３６ｃとで構成されている。この押出機構は他の構成によってもの実現可能であり、以下、同押出機構について他の実施形態を例示する。図６は、遊技レールにおける押出機構の断面を示している。同図において、外側レール１３６は、ガイド板１３６ａと区画壁１３６ｂと押出ネジ１３７ａと凸部１３６ｄと充填材１３６ｆとで構成されている。本実施形態においても第一の実施形態と同様にガイド板１３６ａは、区画壁１３６ｂに対して付勢しつつ区画壁１３６ｂと凸部３６ｄとの間に遊技盤側の端部を挟み込んでいる。
【００５１】
区画壁１３６ｂには遊技盤の盤面に対して略平行なネジ穴１３６ｃが形成されており、同ネジ穴１３６ｃに発射経路３２の外側から内側に向かってネジ１３７ａが螺合されている。そして、ネジ１３７ａは、所定量螺合されたところで先端をガイド板１３６ａに略垂直に突き当てる。さらに、ネジ１３７ａを螺合すると、先端は発射経路３２側に進行しようとして、ガイド板１３６ａを発射経路３２側に押し出す。一方、ガイド板１３６ａの遊技盤側の端部は凸部３６ｄにより終始区画壁１３６ｂから離間しないようにされているため、ガイド板１３６ａはガラス面側の端部から離間し傾斜する。ガイド板１３６ａは区画壁１３６ｂに接近するように付勢されているため、ネジ１３７ａの先端を区画壁１３６ｂ側に押し当てる。従って、ネジ１３７ａの先端とガイド板１３６ａとの間に隙間ができるようなことがなくガイド板１３６ａの傾斜角度を安定して維持することができる。
【００５２】
むろん、ネジ穴１３６ｃに対するネジ１３７ａの螺合量は所定の範囲で任意とすることができるため、ガイド板１３６ａの傾斜角度をを所定の範囲で任意に調整することができる。ネジ１３７ａの先端とガイド板１３６ａとの接触部以外の部分において、ガイド板１３６ａと区画壁１３６ｂとの間には隙間が形成される。本実施形態においては、この隙間に充填材１３６ｆを充填している。このようにすることにより、充填材１３６ｆが発射経路１３２の外側からガイド板１３６ａを支持するため、遊技球の衝突時に瞬間的にガイド板１３６ａが撓むことを防止し良好な反射性を実現することができる。充填材１３６ｆの材質としては種々のものが採用可能であるが、所望の角度にガイド板１３６ａを調整した後に、流動性のある合成樹脂をガイド板１３６ａと区画壁１３６ｂとの隙間に流し込み、その後に同合成樹脂を硬化させる等すればよい。
【００５３】
図７は、押出機構の他の一例の断面を見て示している。同図において、外側レール２３６は、ガイド板２３６ａと区画壁２３６ｂとくさび片２３７ａと凸部２３６ｄとで構成されている。くさび片２３７ａは遊技盤側に向かって徐々に細幅となるように形成されており、遊技盤側の尖端をガイド板２３６ａと区画壁２３６ｂとの間にガラス面側から進入させている。すなわち、かかる構成によってもガイド板２３６ａを遊技球の発射経路２３２側に押し出すことができる。また、ガイド板２３６ａと区画壁２３６ｂとくさび片２３７ａとの間にある程度の摩擦力が発生するようにすれば、くさび片２３７ａはガイド板２３６ａの区画壁２３６ｂに向かう付勢力に対して自己の位置を保持することができる。すなわち、くさび片２３７ａの進入量が維持されることにより、くさび片２３７ａの進入量に応じてガイド板２３６ａの傾斜角度を調整しつつ同傾斜角度を安定して維持することが可能となる。
【００５４】
くさび片の変形例として図８に示すような回転式のくさび片３３７ａを適用しても良い。くさび片３３７ａはくさび部３３７ａ１とレバー部３３７ａ２と軸部３３７ａ３とで構成されている。くさび片３３７ａは円周方向の厚みが薄い略扇状に形成さており、中心角部分にて略円柱状の軸部３３７ａ３と略直角に接合されている。軸部３３７ａ３におけるくさび部３３７ａ１に接合されない側の一端は、レバー部３３７ａ２に接合している。レバー部３３７ａ２は、略楕円形の外形を有する板状に形成されており、指で摘んで操作がしやすいようになっている。一方、区画壁３３６ｂには遊技盤の盤面に対して略平行な軸穴３３６ｃがガイド板３３６ａのガラス面側の端部よりやや高い位置に形成されている。そして、軸穴３３６ｃにくさび片３３７ａの軸部３３７ａ３を横切らせることにより、くさび片３３７ａを区画壁３３６ｂに保持している。軸部３３７ａ３の軸方向の長さは区画壁３３６ｂの厚みとほぼ同等となっており、くさび部３３７ａ１が遊技球の発射経路３２側に配向している。
【００５５】
かかる構成により、レバー部３３７ａ２を指で摘んで、くさび片３３７ａを軸部３３７ａ３を回転軸として回転させることができる。このとき、くさび部３３７ａ１はガイド板３３６ａの遊技盤面に近づいたり離れたりする。すなわち、くさび部３３７ａ１が遊技盤面に近づくように回転させるときにはガイド板３３６ａと区画壁３３６ｂとの間にくさび部３３７ａ１を多く進入させることができるし、くさび部３３７ａ１が遊技盤面から遠ざけるように回転させるときにはガイド板３３６ａと区画壁３３６ｂとの間からくさび部３３７ａ１を離脱させることができる。ガイド板３３６ａの傾斜角度はくさび部３３７ａ１の進入量により規定されるため、レバー部３３７ａ２を操作することによって簡単にガイド板３３６ａの傾斜角度を調整することができる。
【００５６】
図９は、押出機構の別の一例を斜めから見て示している。同図において、第一の実施形態と同様にガイド板４３６ａの一端部は外側に屈曲され屈曲面部４３６ａ１が形成されている。屈曲面部４３６ａ１には凸部４３６ｄを中心とする円弧状に形成された長穴４３６ａ２が形成されている。そして、長穴４３６ａ２を貫通しつつ平面部４３６ｂ１に形成されたネジ穴４３６ｂ２にネジ４３９を螺合している。かかる構成においても、ガイド板４３６ａを遊技球の発射経路４３２側に押し出すことができる。長穴４３６ａ２におけるネジ４３９の螺合位置を変化させることにより、ガイド板４３６ａを凸部４３６ｄを中心としてねじるように押し出すことができる。従って、所望の傾斜角度となる長穴４３６ａ２の位置でネジ４３９の螺合を締め付けることにより、ガイド板４３６ａを所望の傾斜角度に調整することが可能となる。
【００５７】
また、図１０に示すように区画壁５３６ｂ自体を傾斜させることにより、ガイド板５３６ａを遊技球の発射経路５３２側に押し出す押出機構を構成することも可能である。同図において、調整ネジ５３７ａが区画壁５３６ｂのガラス面側部分と遊技盤への取り付け面部５３３ａとを繋ぐように保持されている。調整ネジ５３７ａの軸方向の一方が略円柱状に形成されており、区画壁５３６ｂに形成された略円柱状凹部５３６ｃに進入している。調整ネジ５３７ａの軸方向のもう一方はネジ山が形成されており、取り付け面部５３３ａに形成されたネジ穴５３３ａ２に螺合されている。調整ネジ５３７ａの軸方向略中央には他の部分より広径な操作部５３７ａ１が形成されており、操作部５３７ａ１の外周は歯車状に形成され指で摘む際に滑らないようにされている。
【００５８】
離脱防止爪５３６ｅおよび凸部５３６ｄと区画壁５３６ｂとの間隔は、ともにガイド板５３６ａの厚み分とされている。従って、常にガイド板５３６ａは区画壁５３６ｂに対して密着する。すなわち、ガイド板５３６ａが区画壁５３６ｂに対して傾斜することはない。ただし、本実施形態においても第一の実施形態等と同様にガイド板５３６ａは区画壁５３６ｂに対して接近しようとする付勢力を有している。一方、区画壁５３６ｂにおける凸部５３６ｄと対面する部位には遊技球の発射経路５３２側から外側に向かってくびれ５３６ｇが設けられている。すなわち、区画壁５３６ｂにおける凸部５３６ｄと対面する部位は幅が細く形成されている。
【００５９】
ここで、調整ネジ５３７ａのネジ穴５３３ａ２に対する螺合量を減少させていくと、区画壁５３６ｂのガラス面側部分と取り付け面部５３３ａに形成されたネジ穴５３３ａ２は互いに離間しようとする。すると、取り付け面部５３３ａは遊技盤に固定されているため、次第に区画壁５３６ｂが遊技球の発射経路５３２側に傾斜する。同時に、区画壁５３６ｂに密着させられているガイド板５３６ａも遊技球の発射経路５３２側に傾斜することとなる。このとき、区画壁５３６ｂの変形を伴うこととなるが、くびれ５３６ｇが設けてあるため遊技球の発射経路５３２側に傾斜するように変形しやすくなっている。ガイド板５３６ａの区画壁５３６ｂに接近しようとする付勢力は区画壁５３６ｂに伝播し、区画壁５３６ｂは調整ネジ５３７ａを外側に押し出そうとする。従って、調整ネジ５３７ａと区画壁５３６ｂとの間には常に押し合う力が維持され、調整ネジ５３７ａと区画壁５３６ｂとの間にがたつき等が生じ傾斜角度が不安定となることもない。
【００６０】
以上説明したように、いずれの押出機構によってもガイド板の傾斜角度の微調整が実現でき、遊技球の球すじを一定化させることが可能となる。また、調整後においては押出機構の押し出しに対して、常時ガイド板の付勢力によりガイド板が反発しているため、ガイド板と押出機構との間にがたつき等が発生し傾斜角度が不安定となることもない。すなわち、経時的に遊技球の球すじが変化してしまうこともない。
【図面の簡単な説明】
【図１】本発明にかかる遊技機の正面図である。
【図２】第一の実施形態にかかる遊技レールの正面図である。
【図３】第一の実施形態にかかる遊技レールの断面図である。
【図４】第一の実施形態にかかる遊技レールの断面図である。
【図５】第一の実施形態にかかる遊技レールの斜視図である。
【図６】その他の実施形態にかかる遊技レールの断面図である。
【図７】その他の実施形態にかかる遊技レールの断面図である。
【図８】その他の実施形態にかかる遊技レールの断面図である。
【図９】その他の実施形態にかかる遊技レールの斜視図である。
【図１０】その他の実施形態にかかる遊技レールの断面図である。
【符号の説明】
１…パチンコ遊技機
１０…外枠
２０…本体枠
３０…遊技盤
３１…遊技領域
３２，１３２，２３２，３３２，４３２，５３２…発射経路
３３…遊技レール
３３ａ，１３３ａ，２３３ａ，３３３ａ，４３３ａ，５３３ａ…取り付け面部
３３ｂ…ストッパー壁
３３ｃ…表示シール
３４…表示装置
３５，１３５，２３５，３３５，４３５，５３５…内側レール
３６，１３６，２３６，３３６，４３６，５３６…外側レール
３６ａ，１３６ａ，２３６ａ，３３６ａ，４３６ａ，５３６ａ…ガイド板
３６ｂ，１３６ｂ，２３６ｂ，３３６ｂ，４３６ｂ，５３６ｂ…区画壁
３６ｄ，１３６ｄ，２３６ｄ，３３６ｄ，４３６ｄ，５３６ｄ…凸部
３７ａ，３７ｂ，３７ｃ…皿ネジ
３８…補強リブ
４３…アウト球回収口
３９，４３９…ネジ
４０…発射機構
５０…流路板
６０…ガラス扉枠
６２…装飾ランプ
６３…上皿
７０…下皿
１３６ｆ…充填材
１３７ａ…押出ネジ
２３７ａ…くさび片
３３７ａ…回転式のくさび片
５３７ａ…調整ネジ
【図１】
2005040256.tif 000003
【図２】
2005040256.tif 000004
【図３】
2005040256.tif 000005
【図４】
2005040256.tif 000006
【図５】
2005040256.tif 000007
【図６】
2005040256.tif 000008
【図７】
2005040256.tif 000009
【図８】
2005040256.tif 000010
【図９】
2005040256.tif 000011
【図１０】
2005040256.tif 000012